(57)【特許請求の範囲】
【請求項１】
電気音響チャネルを通じた送達のために、所望されるオーディオ信号を向上させる方法であって：
外的擾乱に帰することのできる雑音推定値を得る段階と；
前記雑音推定値を周波数に依存する動的雑音補償（DNC）プロセスに適用してそれにより前記雑音推定値のスペクトル特性に応じて前記所望されるオーディオ信号を調整する段階と；
前記雑音推定値を適応等化（AEQ）プロセスに適用してそれにより前記電気音響チャネルの電気音響応答に応じて前記所望されるオーディオ信号を調整する段階とを含む、
方法。
【請求項２】
前記雑音推定値を、前記電気音響チャネル中への送達のための反雑音を生成するよう構成された能動的雑音打ち消し（ANC）プロセスに適用する段階をさらに含む、請求項１記載の方法。
【請求項３】
前記雑音推定値が：感知された電気音響チャネル・サウンド信号から、前記DNCプロセスのフィルタリングおよび／または遅延された出力を減算することによって生成される、請求項１または２記載の方法。
【請求項４】
前記感知された電気音響チャネル・サウンド・レベル信号が、反雑音の送達後の前記音響チャネルにおけるサウンド・レベルを表す、請求項３記載の方法。
【請求項５】
前記フィルタリングおよび／または遅延された出力が、平坦な周波数応答をもつ所望される応答フィルタによってフィルタリングされる、請求項４記載の方法。
【請求項６】
前記DNCプロセスの出力を前記AEQプロセスの適応等化フィルタに適用する段階をさらに含む、請求項５記載の方法。
【請求項７】
前記DNCプロセスに適用される前記雑音推定値のレベルを選択的に制限する段階をさらに含む、請求項６記載の方法。
【請求項８】
選択的に制限する前記段階が、前記適応等化フィルタの特性の、前記所望される応答フィルタの前記電気音響チャネルのモデルに対する比に向けた収束に応じて行われる、請求項７記載の方法。
【請求項９】
収束が、前記雑音推定値の前記AEQプロセスの出力との相互相関を調べることによって判定され、選択的に制限する前記段階が、前記雑音推定値に適用される減衰器を使って達成され、前記減衰器は前記相互相関の関数として動作する、請求項８記載の方法。
【請求項１０】
前記DNCプロセス、AEQプロセスまたはANCプロセスのうち少なくとも一つが時間領域で実装される、請求項１または２記載の方法。
【請求項１１】
前記DNCプロセス、AEQプロセスまたはANCプロセスのうち少なくとも一つが周波数領域で実装される、請求項１または２記載の方法。
【請求項１２】
ドライバを使った電気音響チャネルを通じた送達のために、所望されるオーディオ信号を向上させる方法であって：
外的擾乱に基づく雑音推定値を得る段階と；
前記雑音推定値のスペクトル特性に応じて前記所望されるオーディオ信号を調整することによって動的雑音補償（DNC）調整された信号を生成する段階であって、前記DNCは周波数に依存する利得調整を与えるものである、段階と；
前記雑音推定値を使って反雑音信号を生成する段階と；
前記DNC調整された信号および前記反雑音信号から合成信号を生成する段階と；
前記合成信号を使って前記ドライバを駆動する段階とを含む、
方法。
【請求項１３】
前記雑音推定値を使って反雑音信号を生成する段階が、感知された電気音響チャネル・サウンド・レベル信号から前記合成信号の推定値を減算することによって前記雑音推定値が導出されるフィードバックに基づくプロセスである能動的雑音打ち消しプロセスをなす、請求項１２記載の方法。
【請求項１４】
前記雑音推定値のスペクトル特性に応じて前記所望されるオーディオ信号を調整する処理が、前記オーディオ信号の選択的諸部分の周波数帯域固有の利得および／または減衰の制御を適用することを含む、請求項１２記載の方法。
【請求項１５】
前記オーディオ信号の選択的諸部分の周波数帯域固有の利得および／または減衰の制御の前記適用の積極さのレベルの選択性を提供することをさらに含む、請求項１４記載の方法。
【請求項１６】
プラント・モデルに応じて適応等化を適用することをさらに含む、請求項１２記載の方法。
【請求項１７】
雑音擾乱の存在のもとでドライバを使った電気音響チャネルを通じた送達のために、所望されるオーディオ信号を向上させる方法であって：
外的擾乱に基づく第一の雑音推定値を得る段階と；
外的擾乱に基づく第二の雑音推定値を得る段階と；
前記第一の雑音推定値のスペクトル特性に応じて前記所望されるオーディオ信号を調整することによって動的雑音補償（DNC）調整された信号を生成する段階であって、前記DNCは周波数に依存する利得調整を与えるものである、段階と；
前記第一および第二の雑音推定値を使って反雑音信号を生成する段階と；
前記DNC調整された信号および前記反雑音信号から合成信号を生成する段階と；
前記合成信号を使って前記ドライバを駆動する段階とを含み、
前記第一の雑音推定値は、感知された電気音響チャネル・サウンド・レベル信号と、前記DNC調整された信号および前記反雑音信号から前記合成信号を生成する前の前記DCN調整された信号とに基づいて導出される、
方法。
【請求項１８】
前記第一および第二の雑音推定値の一方または両方が、少なくとも部分的に前記電気音響チャネルによって特徴付けられるプラント・モデル・フィルタに応答して導出される、請求項１７記載の方法。
【請求項１９】
前記反雑音の生成が、前記第二の雑音推定値が専用のトランスデューサから導出されるフィードフォワードに基づくプロセスにおいて実施される、請求項１７記載の方法。
【請求項２０】
反雑音の生成が、前記第二の雑音推定値が、感知される電気音響チャネル・サウンド・レベル信号から前記合成信号の推定値を減算することによって導出されるフィードバック・プロセスにおいて実施される、請求項１７記載の方法。
【請求項２１】
所望されるオーディオ信号を向上させるオーディオ向上システムであって：
DNC調整された信号を生成するよう構成された動的雑音補償（DNC）モジュールであって、第一の雑音推定値のスペクトル特性に基づいて前記所望されるオーディオ信号にスペクトル整形を適用するよう動作可能なスペクトル整形フィルタを含む、DNCモジュールと；
AEQ調整された信号を生成するよう構成された適応等化（AEQ）モジュールであって、前記DNC調整された信号を受け取り、それに前記第一の雑音推定値に応じた適応等化を適用するよう動作可能な適応等化制御フィルタを含む、AEQモジュールとを有する、
システム。
【請求項２２】
前記AEQ調整された信号は、電気音響チャネルにおいてドライバを駆動するよう動作可能である、請求項２１記載のシステム。
【請求項２３】
前記適応等化フィルタは、電気音響チャネルの電気音響応答の関数である第一の更新信号を使って更新可能である、請求項２１記載のシステム。
【請求項２４】
前記電気音響チャネルの特性をもつプラント・モデル・フィルタをさらに有する、請求項２３記載のシステムであって、前記適応等化フィルタは、前記プラント・モデル・フィルタから得られる第二の更新信号を使ってさらに更新可能である、システム。
【請求項２５】
前記第一の雑音推定値に基づいて反雑音信号を生成するよう構成された能動的雑音打ち消しモジュールと；
前記反雑音信号を前記AEQ調整された信号と組み合わせるよう動作可能な組み合わせ器とをさらに含む、
請求項２１記載のシステム。
【請求項２６】
前記適応等化制御フィルタの収束動作に基づいて前記第一の雑音推定値のレベルを選択的に制限するよう動作可能な相互相関器と；
前記DNC調整された信号を受け取るよう構成された所望される応答フィルタとをさらに有しており、
前記収束動作は、前記適応等化制御フィルタの特性が前記所望される応答フィルタの前記電気音響チャネルのモデルに対する比に向けて収束することである、
請求項２１または２５記載のシステム。
【請求項２７】
電気音響チャネルを通じた送達のために、所望されるオーディオ信号を向上させるオーディオ向上システムであって：
DNC調整された信号を生成するよう構成された動的雑音補償（DNC）モジュールであって、第一の雑音推定値のスペクトル特性に基づいて前記所望されるオーディオ信号にスペクトル整形を適用するよう動作可能なスペクトル整形フィルタを含む、DNCモジュールと；
前記第一の雑音推定値によって更新可能なフィルタ特性をもつ制御フィルタを含む能動的雑音打ち消し（ANC）モジュールであって、前記制御フィルタは、第二の雑音推定値を受け取って該第二の雑音推定値から反雑音信号を生成するための第一の入力をもつ、ANCモジュールと；
前記DNC調整された信号および前記反雑音信号を組み合わせて合成信号を生成する第一の組み合わせ器とを有する、
システム。
【請求項２８】
感知された電気音響チャネル信号から前記DNC調整された信号を減算してそれにより前記第一の雑音推定値を生成するよう動作可能な第二の組み合わせ器をさらに有する、請求項２７記載のシステム。
【請求項２９】
感知された電気音響チャネル信号から前記合成信号を減算してそれにより前記第二の雑音推定値を生成する第三の組み合わせ器をさらに有する、請求項２８記載のシステム。
【請求項３０】
前記第二の雑音推定値が前記ANCモジュールの前記制御フィルタを更新するために使用される、請求項２９記載のシステム。
【発明の詳細な説明】
【技術分野】
【０００１】
関連出願への相互参照
本願は、2010年6月17日に出願された米国仮特許出願第61/355,953号の優先権を主張するものである。この仮出願の内容はその全体においてここに参照により組み込まれる。
【０００２】
技術分野
本開示は概括的には聴取者に対するオーディオ再生の呈示に関し、より詳細にはそのような再生に対する周辺雑音の効果の緩和に関する。
【背景技術】
【０００３】
今日使われているオーディオ再生装置の普及とともに、そうした装置からの改善された品質を求める要求が高まりつつある。再生装置の知覚されるオーディオ品質に著しい影響を与えうる一つの要因は、背景または環境雑音の存在および可聴性である。この問題は、全部ではないまでもたいていのクラスの再生装置について存在する。これは、用いるスピーカー（単数または複数）が組み込みが別体か、オーディオ信号を単一のイアピース（たとえばブルートゥース（商標）のヘッドセット）に無線で送信するか、オーディオ信号を無線でまたは標準的もしくは独自仕様の有線接続を介してステレオ・ヘッドホンに送信するかによらない。現在市場にある多くの製品は能動的雑音打ち消し（ANC:  active  noise  cancellation）技術を提供する。これは、外耳道への入口のところで、電気音響チャネルにおける背景または環境雑音の一部を音響的に打ち消そうとするものである。外耳道への入口における音響信号は、スピーカー（ドライバ）の直近に置かれた小型マイクロホンを通じて取得され、前記マイクロホンは前記ドライバを通じて再生される信号のほか前記周辺の環境雑音を感知することができる。雑音打ち消しの量および帯域幅は使用されるANC技法に依存して有意に変わる。しかしながら、既存のANC技法の根本的な制限のため、一般に約1kHzより上の周波数については有意な雑音低下は提供せず、場合によっては約1kHzより上の周波数の雑音レベルを増すことさえある。
【０００４】
雑音のある周辺環境の効果を減らすために現在利用可能なもう一つの技術は動的雑音補償（DNC:  dynamic  noise  compensation）である。この技術では、環境からの周辺雑音のスペクトル特性が解析され、応答して、オーディオ信号の再生レベルが選択的に調節される。背景雑音がわずらわしいと見なされないスペクトル領域では、オーディオ信号はほぼ無修正のままにされる。しかしながら、背景雑音レベルがオーディオ信号の知覚される品質または可聴性に負の影響を与えるに十分高いスペクトル領域では、聴取者にとってのオーディオ品質を改善するためにオーディオ信号に対してレベル調節がなされる。
【０００５】
もとの信号への忠実度を改善する第三のプロセスは、等化の使用である。これは適応等化（AEQ:  adaptive  equalization）と称される逆フィルタリング技法を使って電気音響チャネルの周波数応答を補正するよう動作する。
【発明の概要】
【発明が解決しようとする課題】
【０００６】
本発明は従来技術の欠点を軽減または解消する。
【課題を解決するための手段】
【０００７】
本稿では、電気音響チャネルを通じた送達のために、所望されるオーディオ信号を向上させる方法であって、外的擾乱に帰することのできる雑音推定値を得る段階と、前記雑音推定値を動的雑音補償（DNC）プロセスに適用してそれにより前記雑音推定値のスペクトル特性に応じて前記所望されるオーディオ信号を調整する（condition）段階と、前記雑音推定値を適応等化（AEQ）プロセスに適用してそれにより前記電気音響チャネルの電気音響応答に応じて前記所望されるオーディオ信号を調整する段階とを含む、方法が記載される。
【０００８】
本稿ではまた、電気音響チャネルを通じた送達のために、所望されるオーディオ信号を向上させる方法であって、外的擾乱に帰することのできる雑音推定値を得る段階と、前記雑音推定値を動的雑音補償（DNC）プロセスに適用してそれにより前記雑音推定値のスペクトル特性に応じて前記所望されるオーディオ信号を調整する（condition）段階と、前記雑音推定値を適応等化（AEQ）プロセスに適用してそれにより前記電気音響チャネルの電気音響応答に応じて前記所望されるオーディオ信号を調整する段階と、前記雑音推定値を、前記電気音響チャネル中への送達のための反雑音（anti-noise）を生成するよう構成された能動的雑音打ち消し（ANC）プロセスに適用する段階とを含む、方法が記載される。
【０００９】
本稿ではまた、ドライバを使った電気音響チャネルを通じた送達のために、所望されるオーディオ信号を向上させる方法であって、外的擾乱に基づく雑音推定値を得る段階と、前記雑音推定値のスペクトル特性に応じて前記所望されるオーディオ信号を調整する（condition）ことによって動的雑音補償（DNC）調整された信号を生成する段階と、前記雑音推定値を使って反雑音信号を生成する段階と、前記DNC調整された信号および前記反雑音信号から合成信号を生成する段階と、前記合成信号を使って前記ドライバを駆動する段階とを含む、方法が記載される。
【００１０】
本稿ではまた、雑音擾乱の存在のもとでドライバを使った電気音響チャネルを通じた送達のために、所望されるオーディオ信号を向上させる方法であって、外的擾乱に基づく第一の雑音推定値を得る段階と、外的擾乱に基づく第二の雑音推定値を得る段階と、前記第一の雑音推定値のスペクトル特性に応じて前記所望されるオーディオ信号を調整する（condition）ことによってDNC調整された信号を生成する段階と、前記第一および第二の雑音推定値を使って反雑音信号を生成する段階と、前記DNC調整された信号および前記反雑音信号から合成信号を生成する段階と、前記合成信号を使って前記ドライバを駆動する段階とを含み、前記第一の雑音推定値が反雑音成分を含むが、DNC調整された成分は含まない、方法が記載される。
【００１１】
本稿ではまた、所望されるオーディオ信号を向上させるオーディオ向上システムであって、DNC調整された信号を生成するよう構成された動的雑音補償（DNC）モジュールであって、第一の雑音推定値のスペクトル特性に基づいて前記所望されるオーディオ信号にスペクトル整形（shaping）を適用するよう動作可能なスペクトル整形フィルタを含む、DNCモジュールと、AEQ調整された信号を生成するよう構成された適応等化（AEQ）モジュールであって、前記DNC調整された信号を受け取り、それに前記第一の雑音推定値に応じた適応等化を適用するよう動作可能な適応等化制御フィルタを含む、AEQモジュールとを含む、システムが記載される。
【００１２】
本稿ではまた、電気音響チャネルを通じた送達のために、所望されるオーディオ信号を向上させるオーディオ向上システムであって、DNC調整された信号を生成するよう構成された動的雑音補償（DNC）モジュールであって、第一の雑音推定値のスペクトル特性に基づいて前記所望されるオーディオ信号にスペクトル整形（shaping）を適用するよう動作可能なスペクトル整形フィルタを含む、DNCモジュールと、前記第一の雑音推定値によって更新可能なフィルタ特性をもつ制御フィルタを含む能動的雑音打ち消し（ANC）モジュールであって、前記制御フィルタは、第二の雑音推定値を受け取ってそれから反雑音信号を生成するための第一の入力をもつ、ANCモジュールと、前記DNC調整された信号および前記反雑音信号を組み合わせて合成信号を生成する第一の組み合わせ器とを含む、システムが記載される。
【００１３】
本稿ではまた、電気音響チャネルを通じた送達のために、所望されるオーディオ信号を向上させるシステムであって、外的擾乱に帰することのできる雑音推定値を得る手段と、前記雑音推定値を動的雑音補償（DNC）プロセスに適用してそれにより前記雑音推定値のスペクトル特性に応じて前記所望されるオーディオ信号を調整する（condition）手段と、前記雑音推定値を適応等化（AEQ）プロセスに適用してそれにより前記電気音響チャネルの電気音響応答に応じて前記所望されるオーディオ信号を調整する手段とを含む、システムが記載される。
【００１４】
本稿ではまた、電気音響チャネルを通じた送達のために、所望されるオーディオ信号を向上させるシステムであって、外的擾乱に帰することのできる雑音推定値を得る手段と、前記雑音推定値を動的雑音補償（DNC）プロセスに適用してそれにより前記雑音推定値のスペクトル特性に応じて前記所望されるオーディオ信号を調整する（condition）手段と、前記雑音推定値を適応等化（AEQ）プロセスに適用してそれにより前記電気音響チャネルの電気音響応答に応じて前記所望されるオーディオ信号を調整する手段と、前記雑音推定値を、前記電気音響チャネル中への送達のための反雑音（anti-noise）を生成するよう構成された能動的雑音打ち消し（ANC）プロセスに適用する手段とを含む、システムが記載される。
【００１５】
本稿ではまた、ドライバを使った電気音響チャネルを通じた送達のために、所望されるオーディオ信号を向上させるシステムが記載される。このシステムは、外的擾乱に基づく雑音推定値を得る手段と、前記雑音推定値のスペクトル特性に応じて前記所望されるオーディオ信号を調整する（condition）ことによって動的雑音補償（DNC）調整された信号を生成する手段と、前記雑音推定値を使って反雑音信号を生成する手段と、前記DNC調整された信号および前記反雑音信号から合成信号を生成する手段と、前記合成信号を使って前記ドライバを駆動する手段とを含む、システムが記載される。
【００１６】
本稿ではまた、雑音擾乱の存在のもとでドライバを使った電気音響チャネルを通じた送達のために、所望されるオーディオ信号を向上させるシステムであって、外的擾乱に基づく第一の雑音推定値を得る手段と、外的擾乱に基づく第二の雑音推定値を得る手段と、前記第一の雑音推定値のスペクトル特性に応じて前記所望されるオーディオ信号を調整する（condition）ことによってDNC調整された信号を生成する手段と、前記第一および第二の雑音推定値を使って反雑音信号を生成する手段と、前記DNC調整された信号および前記反雑音信号から合成信号を生成する手段と、前記合成信号を使って前記ドライバを駆動する手段とを含む。前記第一の雑音推定値は反雑音成分を含むが、DNC調整された成分は含まない。
【００１７】
本稿ではまた、機械によって読み取り可能なプログラム記憶デバイスであって、電気音響チャネルを通じた送達のために、所望されるオーディオ信号を向上させる方法を実行させるよう前記機械によって実行可能な諸命令のプログラムを具現する記憶デバイスが記載される。前記方法は、外的擾乱に帰することのできる雑音推定値を得る段階と、前記雑音推定値を動的雑音補償（DNC）プロセスに適用してそれにより前記雑音推定値のスペクトル特性に応じて前記所望されるオーディオ信号を調整する（condition）段階と、前記雑音推定値を適応等化（AEQ）プロセスに適用してそれにより前記電気音響チャネルの電気音響応答に応じて前記所望されるオーディオ信号を調整する段階とを含む。
【００１８】
本稿ではまた、機械によって読み取り可能なプログラム記憶デバイスであって、電気音響チャネルを通じた送達のために、所望されるオーディオ信号を向上させる方法を実行させるよう前記機械によって実行可能な諸命令のプログラムを具現する記憶デバイスが記載される。前記方法は、外的擾乱に帰することのできる雑音推定値を得る段階と、前記雑音推定値を動的雑音補償（DNC）プロセスに適用してそれにより前記雑音推定値のスペクトル特性に応じて前記所望されるオーディオ信号を調整する（condition）段階と、前記雑音推定値を適応等化（AEQ）プロセスに適用してそれにより前記電気音響チャネルの電気音響応答に応じて前記所望されるオーディオ信号を調整する段階と、前記雑音推定値を、前記電気音響チャネル中への送達のための反雑音（anti-noise）を生成するよう構成された能動的雑音打ち消し（ANC）プロセスに適用する段階とを含む。
【００１９】
本稿ではまた、機械によって読み取り可能なプログラム記憶デバイスであって、ドライバを使った電気音響チャネルを通じた送達のために、所望されるオーディオ信号を向上させる方法を実行させるよう前記機械によって実行可能な諸命令のプログラムを具現する記憶デバイスが記載される。前記方法は、外的擾乱に基づく雑音推定値を得る段階と、前記雑音推定値のスペクトル特性に応じて前記所望されるオーディオ信号を調整する（condition）ことによって動的雑音補償（DNC）調整された信号を生成する段階と、前記雑音推定値を使って反雑音信号を生成する段階と、前記DNC調整された信号および前記反雑音信号から合成信号を生成する段階と、前記合成信号を使って前記ドライバを駆動する段階とを含む。
【００２０】
本稿ではまた、機械によって読み取り可能なプログラム記憶デバイスであって、雑音擾乱の存在のもとでドライバを使った電気音響チャネルを通じた送達のために、所望されるオーディオ信号を向上させる方法を実行させるよう前記機械によって実行可能な諸命令のプログラムを具現する記憶デバイスが記載される。前記方法は、外的擾乱に基づく第一の雑音推定値を得る段階と、外的擾乱に基づく第二の雑音推定値を得る段階と、前記第一の雑音推定値のスペクトル特性に応じて前記所望されるオーディオ信号を調整する（condition）ことによってDNC調整された信号を生成する段階と、前記第一および第二の雑音推定値を使って反雑音信号を生成する段階と、前記DNC調整された信号および前記反雑音信号から合成信号を生成する段階と、前記合成信号を使って前記ドライバを駆動する段階とを含む。前記第一の雑音推定値は反雑音成分を含むが、DNC調整された成分は含まない。
【発明の効果】
【００２１】
このように、スピーカーによって再生されるソース信号の忠実度（fidelity）および／または発話了解性（speech  intelligibility）を改善することに加えて、本稿に記載されるAEQシステムはDNC処理を支援し、改善するために使用されうる。DNCをAEQと（そして任意的にANCと）組み合わせることによって、周辺の環境雑音の推定値が外耳道への入口のところで得られる。本稿に記載される新規な信号処理技法を通じて、雑音推定値はおおむね、スピーカーからのいかなる信号寄与も含まないものとなる。この雑音推定値は次いでDNCのパフォーマンスを最適化するために使われる。特に、ヘッドセットと耳の受動的な隔離が環境雑音のいくらかを遮断する。こうして、外耳道入口においてこの雑音を感知することによって、受動音響隔離が考慮に入れられる。
【図面の簡単な説明】
【００２２】
本明細書に組み込まれ、その一部をなす付属の図面は、実施形態の一つまたは複数の例を図解し、例示的な実施形態の説明と相俟って、諸実施形態の原理および実装を説明するはたらきをする。
【図１】MP3（または他の圧縮形式オーディオ）プレーヤーなどのようなモバイル・デバイスであることができるオーディオ・デバイスのブロック図である。
【図２Ａ】DNCとANCの組み合わせを示す概略図である。
【図２Ｂ】DNCとAEQの組み合わせを示す概略図である。
【図２Ｃ】DNCとAEQとANCの組み合わせを示す概略図である。
【図３Ａ】図２Ａについてのデジタル信号処理ブロック２０２の概略図である。
【図３Ｂ】図２Ａについてのデジタル信号処理ブロック２０２の概略図だが、ANCのフィードフォワード変形を示す図である。
【図３Ｃ】図２Ｂについてのデジタル信号処理ブロック２０２の概略図である。
【図３Ｄ】周波数領域等化器の場合についての図２Ｂについてのデジタル信号処理ブロック２０２の概略図である。
【図４】DNCがANCまたはAEQのいずれかと組み合わされたとした場合に冗長と見なされるモジュールを示すDNCの概略図である。
【発明を実施するための形態】
【００２３】
本稿では聴取者に対する環境雑音の効果を低下させる方法および装置のコンテキストにおいて例示的な実施形態が記載される。当業者は以下の記述が単に例解するものであり、いかなる仕方であれ限定することは意図されていないことを認識するであろう。本開示の恩恵を受けた当業者には他の実施形態が容易に思いつくであろう。ここで付属の図面に図解される例示的な実施形態の実装を詳細に参照する。諸図面および以下の記述を通じて、可能な限り、同じ参照符号は同じまたは同様の項目を指すために使われる。
【００２４】
明確のため、本項に記載される実装の通常の特徴のすべてが図示および説明されるのではない。もちろん、任意のそのような実際の実装の開発において、用途やビジネスに関係した制約条件を満たすなどの開発者の個別の目標を達成するために、数多くの実装固有の決定をする必要があることや、これらの個別的な目標は実装によって、また開発者によって異なることは理解されるであろう。さらに、そのような開発努力は複雑で時間がかかることがあるが、それでも、本開示の恩恵を受けた当業者にとっては日常的な開発業務であろう。
【００２５】
本開示によれば、本稿に記載されるコンポーネント、プロセス・ステップおよび／またはデータ構造はさまざまな型のオペレーティング・システム、コンピューティング・プラットフォーム、コンピュータ・プログラムおよび／または汎用機械を使って実装されうる。さらに、当業者は、結線された装置、現場プログラム可能なゲート・アレイ（FPGA:  field  programmable  gate  array）、特定用途向け集積回路（ASIC:  application  specific  integrated  circuit）などといったそれほど汎用でない性質の装置も、本稿に開示される発明概念の範囲および精神から外れることなく使用されてもよいことを認識するであろう。一連のプロセス・ステップを含む方法がコンピュータまたは機械によって実装され、そうしたプロセス・ステップが機械によって読み取り可能な命令の系列として記憶されることができる場合は、それらはコンピュータ・メモリ・デバイス（たとえば、ROM（読み出し専用メモリ）、PROM（プログラム可能な読み出し専用メモリ）、EEPROM（電気的に消去可能なプログラム可能な読み出し専用メモリ）、フラッシュ・メモリ、ジャンプ・ドライブなど）、磁気記憶媒体（たとえばテープ、磁気ディスク・ドライブなど）、光学式記憶媒体（たとえばCD-ROM、DVD-ROM、紙カード、紙テープなど）および他の型のプログラム・メモリのような有形な媒体上に記憶されてもよい。
【００２６】
図１は、オーディオ・デバイス１００のブロック図である。オーディオ・デバイス１００はステレオ・システムもしくはパーソナル・コンピュータのような非モバイル・デバイスであることも、あるいはMP3（または他の圧縮形式オーディオ）プレーヤーなどのようなモバイル・デバイスであることもできる。電話（セルラー、その他）、PDA（personal  digital  assistant［携帯情報端末］）、ラップトップ・コンピュータなどであることも、あるいは上記の装置の任意のものの組み合わせの機能を提供するよう構成された装置、たとえばMP3形式のオーディオを記憶し、再生するよう構成されたPDAまたは携帯電話であることもできる。
【００２７】
オーディオ・デバイス１００は、聴取者にとっての品質、可聴性または了解性を改善するために向上されるべきオーディオ信号を提供するよう構成されたオーディオ信号源１０２を含む。オーディオ信号源１０２は、電子メモリのような記憶装置１０４および／または光ディスクもしくは磁気ディスクなどのような、発話、音楽または同様の所望されるオーディオが記憶された媒体を読むための記憶媒体読み取り装置１０６を含むことができる。オーディオ信号源１０２は代替的または追加的に、外部源からRFアンテナ１１０によってオーディオ信号を受信するための受信機１０８を含むことができる。外部源は、あらかじめ記録されたまたはライブの発話、音楽などを放送する電波局などである。受信機１０８は代替的または追加的に、双方向（「ウォーキートーキー」）型のシステムにおいて別の人からの発話を表す信号を受信するよう、あるいは携帯電話型のアプリケーションにおいてセルラー・ネットワークから信号を受信するよう構成されていることができる。そうしたアプリケーションはPDA（携帯情報端末）または発話、音楽などを受領するよう構成された任意のモバイルもしくは非モバイル装置といった装置に組み込まれていてもよい。
【００２８】
オーディオ・デバイス１００は、オーディオ呈示機構１１４を有する向上および呈示システム１１２を含む。オーディオ呈示機構１１４は一つまたは複数の自立型スピーカーまたはドライバ１１６、または、イアピース（図示せず）、または、モノもしくはステレオ再生のための一つまたは複数のスピーカーもしくはドライバ（図示せず）を組み込んでいるヘッドセット１１８であることができる。用語「ドライバ」は本稿では主として、スピーカーまたはより一般に、電気信号を聴取者の耳による知覚のために空気圧力波に変換する任意のトランスデューサを指すために使われる。逆に、空気圧力波を電気信号に変換するトランスデューサは一般にマイクロホンと称される。さらに、「オーディオ」または「オーディオ信号」は、一般に、関心対象の信号または所望される信号、たとえばライブのまたはあらかじめ記録された音楽、発話などを指すために使われる。一方、「雑音〔ノイズ〕」「オーディオ雑音」「環境雑音」または「周辺雑音」は一般に、邪魔になる背景信号または擾乱を指すために使われる。こうした雑音から所望される信号が区別されるべきであり、こうした雑音に対して所望される信号は向上されるべきである。
【００２９】
向上システム１１２はまた、部分的には能動的雑音打ち消し（ANC）モジュール１２２および動的雑音補償（DNC）モジュール１２４から構成される向上モジュール１２０を有する。のちに詳述するように、能動的雑音打ち消し（ANC）モジュール１２２は、電気音響チャネル中に「反雑音」を導入することによって望まれない周辺雑音を打ち消すよう動作し、代替的または追加的に、はいってくる所望されるオーディオ信号に適応等化（AEQ）を適用することができる。ANCシステムは反雑音信号を生成する。この反雑音信号は、影響を打ち消すべき音（たとえば周辺雑音）と大きさが等しく位相が反対の（すなわち180度位相がずれている）音圧波を生成する。このようにして雑音打ち消しを可能にする物理的な機構は音響的な破壊的干渉であり、よく知られた現象である。
【００３０】
動的雑音補償（DNC）モジュール１２４は、環境雑音のスペクトル特性を解析し、再生レベルをしかるべく調節することによってはいってくる所望されるオーディオ信号を調整するはたらきをする。ここでは別個のモジュールとして記述されているが、ANCモジュール１２２とDNCモジュール１２４のそのような分離は単に便宜上のものであり、ANCモジュールとDNCモジュールの構成要素の重複も考えられていることは理解されるであろう。さらに、これらのモジュールの動作がアナログ領域またはデジタル領域において、あるいは両者の組み合わせにおいて実装できることも理解されるであろう。
【００３１】
図２Ａは、ANCおよびDNCを使って向上を実行するシステム２００のブロック図である。処理機能は概括的にはプロセッサ２０２によって与えられる。プロセッサ２０２は、ヘッドセット、イヤホン、ヘッドホン・カップなどの電気音響チャネル２０３において再生されることが特に意図されているオーディオのようなオーディオのための信号調整アルゴリズムを実行するよう設計されたデジタル信号プロセッサ（DSP:  digital  signal  processor）であることができる。プロセッサ２０２はそれぞれ２０４および２０６と示される別個のANC（能動的雑音打ち消し）モジュールおよびDNC（動的雑音補償）モジュールを含むよう示されているが、これらは必ずしも別個のコンポーネントでないことは理解しておくべきである。それらの回路および／または機能の多くが重複することがあるからである。第一のソース・ドライバ２１２は、電気音響チャネル２０３を通じて聴取者２１０に音圧波を与える。ドライバ２１２は、設計上の選択に依存して、単指向性または無指向性でありうる一つまたは複数のスピーカー（アレイ）の形を取ることができる。ソース・ドライバ２１２によって生成された音圧波は、所望されるオーディオ信号２１３に対応する。所望されるオーディオ信号２１３は、たとえば上記で説明され、図２Ａにおいて２１４で表されるオーディオ信号源１０２から導かれる発話、音楽などからなる。所望されるオーディオ信号はDNCモジュール２０６によって調整され、それによりDNC調整された信号２１５として送達される。ソース・ドライバ２１２は電気音響チャネル２０３中に「反雑音」信号２１７をも送達する。「反雑音」信号２１７は、トランスデューサ２１１によって電気音響チャネルにおいて検出される周辺雑音の関数としてANCモジュール２０４によって生成される。こうして、電気音響チャネル２０３への送達のためにドライバ２１２に呈示される信号は、DNC調整された所望されるオーディオ信号２１５とANCモジュール２０４からの反雑音信号２１７との混合からなる合成信号２１９である。信号２１５および２１７は組み合わせ器回路２０５において加算的に組み合わされる。図２Ａからはまた、ANCモジュール２０４が、トランスデューサ２１１からの入力信号を使って、周辺雑音の推定値N.1を生成することも見て取れる。雑音推定値N.1はDNCモジュール２０６による使用のためにDNCモジュール２０６に渡される。雑音推定値N.1の生成および使用の詳細は後述する。
【００３２】
図２Ｂは、能動的雑音打ち消し（ANC）ではなく適応等化（AEQ）を適用するシステム２００′のブロック図である。２００′において示されるシステムについては、DNCモジュール２０６とAEQの両方を単一の共通の信号処理ブロックに組み合わせることが有益である。ともに、外耳道入口における環境雑音の推定値である信号N.1'に関心があるためである。よって、この実装では、AEQモジュール２０８は環境からの周辺雑音の推定値N.1'を使う。推定値N.1'は、マイクロホン信号から、DNCモジュール２０６から発される信号の遅延された（そして任意的にフィルタリングされた）バージョンを引くことによって計算される。遅延および任意的なフィルタリングは所望される応答フィルタ２２１において実行される。マイクロホン２１１によって取得された信号は、環境雑音およびドライバ２１２から発する信号からなる合成信号である。フィルタ２２１の出力は、電気音響チャネル２０７によって処理される所望された音響信号の推定値なので、減算回路２０１は、マイクロホン信号から所望されるオーディオ信号を電気的に打ち消すはたらきをし、周辺雑音の推定値N.1'だけが残る。この周辺雑音推定値N.1'はAEQモジュール２０８およびDNCモジュール２０６の両方に与えられ、この実装においてマイクロホン２１１に到達する周辺雑音のフル・パワーを表す。
【００３３】
所望される応答フィルタ２２１は、平坦でない周波数応答を適用する。この周波数応答は、AEQブロック２０８内に含まれる適応フィルタ（３１３、図３Ｄ）の適用を介して所望されるオーディオ信号に間接的に適用される。所望される応答フィルタ２２１は、所望されるオーディオ信号の帯域幅を特定の周波数範囲に制限する、または自由場応答（free-field  response）を適用するといった多様な異なる等化タスクを適用できる。減算回路２０１は、AEQブロック２０８内に含まれる適応フィルタが、所望される応答フィルタの応答２２１の、２０７の電気音響応答に対する比
C＝D/P
に収束している（すなわち、十分に同様の周波数応答に向かう傾向がある）とすれば、周辺雑音の十分正確な推定を生成する。
【００３４】
ここで、CはAEQブロック２０８において適用される適応フィルタである。所望される応答フィルタDがその代わりに単なる遅延であったとすると、減算回路２０１は、適応フィルタが２０７の電気音響応答の逆に収束しているならば、周辺雑音の正確な推定を生成する。
【００３５】
適応フィルタ係数の収束が指定された許容誤差内で達成されておらず、そのためN.1'が周辺雑音の最適でない推定である場合について、モジュールDNCおよびAEQがN.1'の推定値に対していかに反応すべきかについて、制限を課すことができる。このことは、相互相関器モジュール２１５を含めることを通じて示される。このモジュールは、信号処理の当業者にはおなじみの相互相関演算を計算して、二つの入力の類似性を決定する。このように、ドライバ２１２からの所望されるオーディオ信号が雑音推定値N.1'にリークする場合、相互相関器はAEQ適応フィルタがその最終的な解に収束していないと判定しているはずであり、結果は、所望されるオーディオ信号の何らかの量が雑音推定信号N.1'にリークするというものであろう。N.1'への漏れの量が閾値を超えている場合、相互相関器は、DNCが前記雑音推定値によって影響される度合いを制限するよう減衰器２１６に制御信号を送る。この減衰器は、DNCに行く信号N.1'を完全に遮断してもよい。あるいはまた、相互相関器２１５からの制御信号はDNCブロック２０６に直接、経路制御されてもよい。ここで、DNCはこの制御信号に基づいて雑音補償を低下させるまたは修正するよう適切に行動する。雑音推定値への信号漏洩に起因する雑音補償の量の制限により、DNCがN.1'にリークする所望されるオーディオ信号の量を悪化させうるいかなる状況をも防ぐことができる。そのような条件は、不安定なフィードバック・ループを生成することがあり、その結果、ドライバ２１２を通じて再生されるオーディオ信号がクリッピングされる（大きすぎる）ことになる。相互相関器２１５は任意的なツールであり、このモジュールにつながる破線の使用によってそのことが示されている。相互相関器２１５から出てくる信号はサブ・オーディオ・レートの（すなわち、オーディオ・サンプル・レートよりずっと低い周波数でサンプリングされている）制御信号である。残りの図については、相互相関器の存在が想定されることがあるが、明示的に図示はしない。減衰器（図２Ｂの２１６）は残りの図において示され、DNCモジュールに入力される雑音推定値に対するこの相関ベースの可変制御を表す。
【００３６】
図２Ｃは、DNC、AEQおよびANCを統合するシステム２００″のブロック図である。三つのモジュールすべて――ANCモジュール２０４、DNCモジュール２０６およびAEQモジュール２０８――は周辺雑音の推定値N.1"を使う。この推定値N.1"は組み合わせ器２０１″を使って生成され、この場合、ANCモジュール２０４による音響打ち消し後の電気音響チャネル２０３における残留雑音を表す。図２Ｂのシステム２００′の場合と同様、N.1"が周辺雑音の最適でない推定値を含む場合にモジュールDNC、AEQおよびANCがどのようにN.1"に反応すべきかについて、相互相関器２１５および減衰器２１６によって十分な制限が適用される。
【００３７】
図３Ａおよび図３Ｂは、図２Ａに示したDNCとANCの組み合わせの使用に関係する追加的な詳細を与えるブロック図である。図３Ａはフィードバックの変形を示し、図３Ｂはフィードフォワードの変形を示している。図３Ａおよび図３Ｂは主要な信号処理ブロック３０４（ANC）および３０６（DNC）ならびにプロセッサ３０２によって実行される信号の流れおよび主要な動作を示している。マイクロホン３１１は周辺雑音およびドライバ３１２を通じて送達される所望されるオーディオ信号３１９の両方を検出する。オーディオ信号３１９はDNC調整された所望されるオーディオ信号を、ANCモジュール３０４からの反雑音とともに含む合成信号である。したがって、マイクロホン３１１によって取得される信号も、オーディオ信号３１９の電気音響的にフィルタリングされた形を含む。ANCブロック３０４はフィードバックに基づくシステムなので、推定された雑音信号N.2から反雑音信号を生成する。このように、周辺雑音推定値N.2を形成するために、合成オーディオ信号３１９が、ANC  ３０４に入力されるマイクロホン信号から除去される必要がある。これは、組み合わせ器３１５において、フィルタ３０５．１の形で電気音響チャネル３０３応答の推定によってフィルタリングされた合成信号の推定値を減算することによって達成される。電気音響応答３０３はプラント（plant）と称され、諸電気音響要素によって付与される信号調整からなる。電気音響要素はドライバ３１２、電気音響チャネル３０３の特性、マイクロホン３１１および電子的増幅器およびアナログ‐デジタルおよびデジタル‐アナログ変換器（図示せず）のような回路を含む。これらの要素の総合は、プラント・モデルPmと称される信号処理ブロックとして扱われる。この信号処理ブロックは特定の周波数応答およびインパルス応答として一般に知られる、該周波数応答と等価な時間領域をもつ。プラント・モデルPmは、サンプル単位での特定の遅延値をもって、３０５．１、３０５．２、３０５．３においてインスタンス化されているフィルタFPmとして実装されることができる。低サンプル・レート（8kHzなど）の実装については、遅延されるサンプルの数は整数成分およびサンプル以下の端数成分から構成されることが必要であることがある。プラント・モデル・フィルタFPmは静的であることができ、その場合、製品開発の設計フェーズにおいてオフラインで計算できる。これは一般に、最終製品ハードウェア・ユニットの十分な数のサンプリングについてプラントPのインパルス応答を測定することによって達成される。その際、結果として得られるプラント・モデル・フィルタFPmは、すべての測定されたインパルス応答測定の平均とすることができる。
【００３８】
あるいはまた、プラント・モデル・フィルタFPmは適応的であることができ、その場合、ドライバ３１２がどのくらいよく音響チャネルに音響的に結合されているかに応じて適応する。ヘッドセット用途の場合、適応は、該デバイスがどのくらいよく聴取者の耳に音響的に結合しているかに依存する。一般に、プラント・モデル・フィルタFPmの適応は、任意の特定の時点におけるプラント・モデルPmと実際のプラントPとの間の平均平方誤差の最小化をその収束目標とする。
【００３９】
DNCモジュール３０６を参照するに、その機能の一つは、３１６におけるスペクトル整形を使って、周波数依存の仕方で所望される音源３１４からのはいってくる信号を整形することである。スペクトル整形は、デジタル・フィルタを使って時間領域で適用されることも、あるいはこれに限られないが離散フーリエ変換（DFT:  Discrete  Fourier  Transform）などのブロック変換またはこれに限られないが直交ミラー・フィルタバンク（QMF:  Quadrature  Mirror  Filterbank）のようなサブバンド変換を使って周波数領域で適用されることもできる。雑音打ち消しプロセスの効率は約1kHzより下のスペクトル的に平坦な（すなわち雑音的な）信号の打ち消しについて最大となり、周波数がその閾値を超えると低下するため、オーディオ音信号を聴取環境に合わせてよりよく調整するために動的雑音補償（DNC）を実施することも有益である。DNCモジュール３０６は、雑音のスペクトル解析を実施して、はいってくるオーディオ信号に適用される周波数ベースの補償信号を生成する。DNCモジュール３０６の動作は、雑音のスペクトル特性に応じてオーディオ信号の再生レベルを調節して、雑音のスペクトル特性を利用するというものである。そのような調節は、対応する検出された雑音量および所望される向上を与えるために必要とされるそれに見合う補償に基づいて種々の周波数成分に重み付けする、信号の選択的な諸部分の周波数帯域固有の利得および／または減衰制御であることができる。雑音がわずらわしくないスペクトル領域では、オーディオ信号はおおむね無修正のままであることができる。背景雑音レベルが知覚される品質に負の影響を与えるよう十分大きいスペクトル領域では、聴取者にとってのオーディオ品質を改善するためにオーディオ信号に対して調節がなされる。そのような補償の積極さのレベルは、提供されることのできるさまざまな調節を通じて聴取者によって制御可能にされることができる。
【００４０】
DNCブロック３０６の出力は組み合わせ器３０５において、ANC  ３０４からの反雑音信号と加算的に組み合わされ、それにより得られた合成信号３１９が電気音響チャネル３０３中への送達のためにドライバ３１２に呈示される。周波数領域重みまたは時間領域フィルタ係数のいずれかの形のスペクトル整形係数は、マイクロホン３１１によって取得された環境雑音からの刺激に応答しておよび／または音源３１４の瞬時スペクトル応答に応答して、更新回路モジュール３０９によって、毎秒設定された回数、更新される。これらの係数の輸送は、３０６においてC.1として示されている。スペクトル係数更新モジュール３０９はプラント・モデル・プロセッサ３１７を含むことができる。プラント・モデル・プロセッサ３１７はプラントまたはプラント応答Pmの所望されるオーディオに対する効果を取り入れるはたらきをする。プラント・モデル・プロセッサ３１７はたとえば、所望されるオーディオに対するプラント・モデルPmの効果に応じて、スペクトル整形モジュール３１６において所望されるオーディオ信号に適用される周波数依存修正の量を制限または拡大することができ、あるいはプラント・モデルPmのスペクトル毎の逆（spectral  inverse）を適用することによって等化を適用することができる。この逆等化は、専用の適応等化（AEQ）モジュールが存在するまたは存在しないもとで適用できる。あるいはまた、プラント・モデル・プロセッサ３１７は、一組の所与のフィルタの間で切り替えるなどの、粒度の粗い適応等化を適用することができる。一方、AEQモジュール（図示せず）はより高い分解能（high-resolution）のおよび／またはより時間応答性のよい（time-responsive）適応等化を適用する。これらの動作は、スペクトル係数更新ブロック３０９において用いられる領域に依存して、周波数領域または時間領域で行われる。このことは、フィルタ３０５．１、３０５．２および３０５．３を計算する目的のためのプラント・モデルPmに基づくフィルタのいかなる適応も、下記に示されるようにプラント・モデル・プロセッサ３１７のパラメータを適応させるために使用できることを含意する。プラント・モデル・プロセッサ３１７およびプラント・モデル・フィルタ３０５．１、３０５．２および３０５．３はこのように互いに関係しており、何らかの共通の資源および特性を共有することができ、たとえば互いに応じて更新および／または適応されることができる。あるいはまた、プラント・モデル・フィルタはフィルタ・トポロジーおよび係数値の点でみな等しいことができる。適応に関係した資源のプラント・モデル・プロセッサ３１７による再利用または他の形でのプラント・モデル・フィルタ３０５．１、３０５．２および３０５．３のリアルタイムの供用（servicing）は、ANCモジュール３０４からの資源の新規な再利用である。
【００４１】
能動的雑音打ち消し（ANC）モジュール３０４に戻ると、これは制御フィルタ３１３を使う。その係数は制御フィルタ更新モジュール３１０によって更新されてC.2において制御フィルタ３１３に送られる。更新は、最小平均二乗（LMS:  Least  Mean  Squared）または該アルゴリズムの変形のような適応フィルタリング技法を使って既知の仕方で計算できる。まとめて適応フィルタと称されうるモジュール３１０および３１３も、これに限られないが離散フーリエ変換（DFT）などのブロック変換またはこれに限られないが直交ミラー・フィルタバンク（QMF）のようなサブバンド変換を使って部分的にまたは全体的に周波数領域で実装されることができる。適応フィルタがLMS適応フィルタやLMS変形の適応フィルタでない場合、プラント・モデル・フィルタFPm  ３０５．２を含めることは必要でないこともある。例として、周波数領域適応フィルタは必ずしもプラント・モデル・フィルタを含めることに頼らない。目標は、適応フィルタが、プラントPの逆に負号を付けたものである最適フィルタに向かって収束することである。特に、適応フィルタは、時間とともに：
C＝−1/P
に向かって収束する。ここで、Cは３１３において適用される制御フィルタであり、Pはプラント応答である。記載される構成によって提供される利点はANCとDNC両方になじむ信号調整を実行するためにプラント・モデルPmを使うことから生じる。特に、ANCとDNC両方の利益のためにマイクロホン３１１からの信号を調整するためのプラント・モデルPm係数の使用は、処理の経済性および効率性を実現する。
【００４２】
図３Ａは二つの追加的なフィルタ３０５．２および３０５．３をも示している。これらは３０５．１において実装されるデジタル・フィルタの正確なコピー（フィルタ係数およびフィルタ実装の点で）、あるいは３０５．１において実装されるデジタル・フィルタの周波数応答の近似を与える変形である。フィルタ３０５．２および３０５．１は既知の内部モデル制御（Internal  Model  Control）アルゴリズムの実装であり、そのさらなる説明は必要ない。上記で説明したように、フィルタ３０５．１は雑音推定値N.2の生成において使われる。フィルタ３０５．３は、３０７においてDNC  ３０６の出力をマイクロホン３１１の出力と減算的に組み合わせることによって得られる雑音推定値N.1の生成において使われる。
【００４３】
雑音推定値N.1とN.2の顕著な違いは、N.1は雑音打ち消し以後（つまり雑音打ち消しも含む）の周辺雑音の推定であるのに対し、N.2は後述するように、雑音打ち消しより前（つまり雑音打ち消しは含まない）の周辺雑音の推定であるということである。雑音推定値の有効性（efficacy）はプラントPとプラント・モデルPmの間の誤差相違の関数である。特に、P＝Pmであれば、雑音推定値は正確であり、その場合、N.1およびN.2は所望されるオーディオ信号を欠き、雑音だけからなる。推定値N.1およびN.2の計算において、ドライバ３１２信号の寄与はマイクロホン３１１信号から除去される。だが、プラントPを通じて再生される信号はプラントの応答によって影響されたものなので、ドライバ３１２に呈示され、プラント推定値Pmによって調整される合成信号の推定が要求される。このように、N.2を考慮し、プラント・モデル・フィルタ３０５．１を合成信号（これはDNC調整された所望されるオーディオ信号および反雑音信号を含む）に適用し、この信号を３１５においてマイクロホン信号から減算することは、事実上マイクロホン３１１信号から合成信号を除去し、N.2を残す。N.2は打ち消し前の周辺雑音推定値を表す。これは、３０３において適用された反雑音音響打ち消しが事実上「取り消される」ことを意味する。これに比して、N.1に関しては、３０７において減算される信号は、DNC  ３０６から発されたDNC調整された所望されるオーディオ信号を含むだけなので、合成信号ではない。よって、電気音響チャネルにおいて適用される反雑音信号は雑音推定値N.1において残っており、組み合わせ器３０７では、DNC調整された所望されるオーディオ信号だけがマイクロホン信号から除去される。このようにして、N.1は雑音打ち消し以後の周辺雑音である。雑音推定値N.1を考えるもう一つの仕方は、反位相打ち消し後に残る残留雑音エネルギーとしてである。制御フィルタ更新３１０は、適応フィルタ収束をプラントの逆に負号を付けたものに向けて駆り立てるためにこの残留雑音推定N.1を使う。
【００４４】
図３Ａに見られるように、雑音推定値信号N.1はDNCにおいてスペクトル係数更新３０９を最適化するために再利用される。有利には、これにより、DNCモジュール３０６は残っている環境雑音を解析し、ANCブロック３０４においてすでに適用された雑音打ち消しに鑑みて、３０９においてスペクトル係数を調節することができる。さらに、N.1は３１０においてANC制御フィルタ係数を更新するために利用されており、システムに既に存在しているので、DNCを利するための信号としてのN.1の計算は、追加的な計算上の負荷が何ら課されることなく効率的に達成できる。さらに、DNCは、装置の外部筐体上に置かれた別のマイクロホンではなくマイクロホン・トランスデューサ３１１からの環境雑音推定値を得ることから裨益する。
【００４５】
もう一つの利点は、プラント・モデル・プロセッサ・サブブロック３１７による所望されるオーディオ信号の修正のためにスペクトル係数更新ブロック３０９にプラント・モデル情報が輸送されることから生じる。プラント・モデル・フィルタFPmが適応のため少しでも時間変動するならば、適応プラント・モデル・フィルタ――適応プラント・モデル・フィルタ３０５．１のコピーまたはこのプラント・モデル・フィルタの簡略化またはこのプラント・モデル・フィルタのパラメータ化――そして適応プラント・モデル・フィルタFPmの計算は、三つのモジュール――DNCモジュール、ANCモジュールおよびAEQモジュール――すべてについて一度計算されるだけでよい。これを例解するために、図４を参照する。図４では、DNCがANCまたはAEQのいずれかと連携して使われるのであれば、斜線を付した領域に示されたモジュールはDNCのために明示的に計算される必要はない。
【００４６】
図３Ｂは、ANCとDNCの組み合わせを使ったフィードフォワード実装である。この場合、環境における周辺雑音の指標は、取得される信号が第一のトランスデューサ３１１とは独立なように物理的に位置される第二の、専用のトランスデューサまたはマイクロホン３２７を使って取得される。よって、雑音打ち消しの前に環境雑音の推定値を計算することは必要ではない。この信号は外部トランスデューサ３２７によって与えられるからである。雑音打ち消し後の周辺雑音推定値はそれでも、フィードバックの場合に計算されたように計算され、信号N.1として示されている。
【００４７】
図３Ｃは、図２ＢのDNC/AEQ組み合わせ実装のより詳細な図であり、３０８と示される適応等化モジュールAEQがある。これはDNC  ３０６からの信号をフィルタリングするためのAEQ制御フィルタ３１３を含む。AEQ制御フィルタ３１３はC.3において、制御フィルタ更新ブロック３２５を使って更新される。制御フィルタ更新ブロックの入力はドライバ３１２を駆動するために使われる。制御フィルタ更新ブロック３２５およびスペクトル係数更新３０９の両方も、入力として、組み合わせ器３０１から雑音推定値N.1を受け取る。組み合わせ器３０１は、マイクロホン３１１から、DNC  ３０６の遅延され、フィルタリングされた出力を減算するよう動作する。
【００４８】
図３Ｄは、図３ＣのようなDNCとAEQの同じ組み合わせを示しているが、この場合、AEQは、モジュール３２５および３１３の一方または両方が周波数領域で実装される周波数領域プロセッサとして実装される。このコンテキストにおける周波数領域処理は、これに限られないが離散フーリエ変換（DFT）などのブロック変換またはこれに限られないが直交ミラー・フィルタバンク（QMF）のようなサブバンド変換のいずれかを含意する。AEQシステムはこのようにしてプラント・モデル・フィルタPmを必要としないことを注意しておく。このAEQシステムは、ドライバ信号３１２から切り離された環境雑音の推定値をもつことから裨益しないからである。ここで、統一された信号プロセッサ３０２にDNCおよびAEQの両方を含めることの主要な利点は、組み合わせ器３０１が、マイクロホン信号と周波数領域等化器３０８への入力の遅延されたコピーとの間の差を計算することによって環境雑音推定値を形成することができるということである。この場合の遅延は、プラントPを通じた電気音響遅延および等化器３０８を通じた遅延を補償して、組み合わせ器３０１への入力が時間同期されるようにするものである。このように、AEQモジュールおよびDNCモジュールは図３ＣにおけるN.1のような共通の関心対象の信号（または複数の信号）を利用しないものの、それでもAEQモジュールを含めることはDNCにとって有益である。電気音響チャネルの等化により環境雑音推定値が単純な組み合わせ器３０１を介して計算できるからである。
【００４９】
聴取経験を向上させるためにANCおよびDNCの両方を使うことは、単独で適用されるときの各方式に固有の限界を克服する。上記で説明したように、ANCは一般に、約1kHzより低い周波数で、広帯域（すなわちピンク）雑音型信号を打ち消す場合にとって最も効果的である。その閾値より上の周波数については、DNCが所望されるオーディオ信号を修正し、さらに再生の品質を向上させることができる。さらに、ANCおよびDNCはいくつかの共通の測定、計算およびモデルを共有するので、これらの共有される機能をANCおよびDNCについて別個に開発するのではなく再利用することによって、かなりの資源節約および効率改善が実現できる。
【００５０】
特に、雑音打ち消し（ANC）がより低い周波数において有力に雑音を減衰させるので、DNCはこれらのより低い周波数についてはより少ない雑音補償を適用することができ、その結果、より低い周波数について所望されるオーディオ信号の修正が減る。さらに、音響経路にエラー感知マイクロホンを配置することにより、DNCは打ち消し後の環境雑音を感知することができる。上記のように、ANCプロセスは周波数応答のプラント・モデルおよび遅延をその計算において利用する。このモデルは、理想的に平坦応答の電気音響要素を想定するのではなく、耳または聴取者位置における所望されるオーディオ信号のラウドネスおよび周波数応答の推定を容易にすることによって、DNCプロセスにも有益である。このようにして、雑音打ち消しおよび等化は、打ち消し後の環境雑音および発話／オーディオ信号に適用されるリアルタイムのプラント応答の両方に反応できる。
【００５１】
諸実施形態および応用を図示し、記載してきたが、本開示から裨益する当業者には、本願で開示される本発明の概念から外れることなく上記で述べた以外の多くの修正が可能であることは明白であろう。したがって、本発明は、付属の請求項によるほかは制約されるものではない。
【００５２】
本発明の実施形態は、下記の付番実施例（EEE:  Enumerated  Example  Embodiment）の一つまたは複数に関係しうる。
【実施例】
【００５３】
〔ＥＥＥ１〕電気音響チャネルを通じた送達のために、所望されるオーディオ信号を向上させる方法であって：外的擾乱に帰することのできる雑音推定値を得る段階と；前記雑音推定値を動的雑音補償（DNC）プロセスに適用してそれにより前記雑音推定値のスペクトル特性に応じて前記所望されるオーディオ信号を調整する（condition）段階と；前記雑音推定値を適応等化（AEQ）プロセスに適用してそれにより前記電気音響チャネルの電気音響応答に応じて前記所望されるオーディオ信号を調整する段階とを含む、方法。
〔ＥＥＥ２〕前記雑音推定値が：感知された電気音響チャネル・サウンド・レベル信号から、前記DNCプロセスのフィルタリングおよび／または遅延された出力を減算することによって生成される、ＥＥＥ１記載の方法。
〔ＥＥＥ３〕前記フィルタリングおよび／または遅延された出力が所望される応答フィルタによってフィルタリングされる、ＥＥＥ２記載の方法。
〔ＥＥＥ４〕前記所望される応答フィルタが平坦でない周波数応答をもつ、ＥＥＥ３記載の方法。
〔ＥＥＥ５〕前記DNCプロセスの出力を前記AEQプロセスの適応等化フィルタに適用する段階をさらに含む、ＥＥＥ４記載の方法。
〔ＥＥＥ６〕前記DNCプロセスに適用される前記雑音推定値のレベルを選択的に制限する段階をさらに含む、ＥＥＥ５記載の方法。
〔ＥＥＥ７〕選択的に制限する前記段階が、前記適応等化フィルタの特性の、前記所望される応答フィルタの前記電気音響チャネルのモデルに対する比に向けた収束に応じて行われる、ＥＥＥ６記載の方法。
〔ＥＥＥ８〕収束が、前記雑音推定値の前記AEQプロセスの出力との相互相関を調べることによって判定される、ＥＥＥ７記載の方法。
〔ＥＥＥ９〕選択的に制限する前記段階が、前記雑音推定値に適用される減衰器を使って達成され、前記減衰器は前記相互相関の関数として動作する、ＥＥＥ８記載の方法。
〔ＥＥＥ１０〕前記DNCプロセスが時間領域で実装される、ＥＥＥ１記載の方法。
〔ＥＥＥ１１〕前記DNCプロセスが周波数領域で実装される、ＥＥＥ１記載の方法。
〔ＥＥＥ１２〕前記AEQプロセスが時間領域で実装される、ＥＥＥ１記載の方法。
〔ＥＥＥ１３〕前記AEQプロセスが周波数領域で実装される、ＥＥＥ１記載の方法。
〔ＥＥＥ１４〕電気音響チャネルを通じた送達のために、所望されるオーディオ信号を向上させる方法であって：外的擾乱に帰することのできる雑音推定値を得る段階と；前記雑音推定値を動的雑音補償（DNC）プロセスに適用してそれにより前記雑音推定値のスペクトル特性に応じて前記所望されるオーディオ信号を調整する（condition）段階と；前記雑音推定値を適応等化（AEQ）プロセスに適用してそれにより前記電気音響チャネルの電気音響応答に応じて前記所望されるオーディオ信号を調整する段階と；前記雑音推定値を、前記電気音響チャネル中への送達のための反雑音（anti-noise）を生成するよう構成された能動的雑音打ち消し（ANC）プロセスに適用する段階とを含む、方法。
〔ＥＥＥ１５〕前記雑音推定値が：感知された電気音響チャネル・サウンド信号から、前記DNCプロセスのフィルタリングおよび／または遅延された出力を減算することによって生成される、ＥＥＥ１４記載の方法。
〔ＥＥＥ１６〕前記感知された電気音響チャネル・サウンド・レベル信号が、反雑音の送達後の前記音響チャネルにおけるサウンド・レベルを表す、ＥＥＥ１５記載の方法。
〔ＥＥＥ１７〕前記フィルタリングおよび／または遅延された出力が所望される応答フィルタによってフィルタリングされる、ＥＥＥ１６記載の方法。
〔ＥＥＥ１８〕前記所望される応答フィルタが平坦でない周波数応答をもつ、ＥＥＥ１７記載の方法。
〔ＥＥＥ１９〕前記DNCプロセスの出力を前記AEQプロセスの適応等化フィルタに適用する段階をさらに含む、ＥＥＥ１８記載の方法。
〔ＥＥＥ２０〕前記DNCプロセスに適用される前記雑音推定値のレベルを選択的に制限する段階をさらに含む、ＥＥＥ１９記載の方法。
〔ＥＥＥ２１〕選択的に制限する前記段階が、前記適応等化フィルタの特性の、前記所望される応答フィルタの前記電気音響チャネルのモデルに対する比に向けた収束に応じて行われる、ＥＥＥ２０記載の方法。
〔ＥＥＥ２２〕収束が、前記雑音推定値の前記AEQプロセスの出力との相互相関を調べることによって判定される、ＥＥＥ２１記載の方法。
〔ＥＥＥ２３〕選択的に制限する前記段階が、前記雑音推定値に適用される減衰器を使って達成され、前記減衰器は前記相互相関の関数として動作する、ＥＥＥ２３記載の方法。
〔ＥＥＥ２４〕前記DNCプロセスが時間領域で実装される、ＥＥＥ１４記載の方法。
〔ＥＥＥ２５〕前記DNCプロセスが周波数領域で実装される、ＥＥＥ１４記載の方法。
〔ＥＥＥ２６〕前記AEQプロセスが時間領域で実装される、ＥＥＥ１４記載の方法。
〔ＥＥＥ２７〕前記AEQプロセスが周波数領域で実装される、ＥＥＥ１４記載の方法。
〔ＥＥＥ２８〕ドライバを使った電気音響チャネルを通じた送達のために、所望されるオーディオ信号を向上させる方法であって：外的擾乱に基づく雑音推定値を得る段階と；前記雑音推定値のスペクトル特性に応じて前記所望されるオーディオ信号を調整する（condition）ことによって動的雑音補償（DNC）調整された信号を生成する段階と；前記雑音推定値を使って反雑音信号を生成する段階と；前記DNC調整された信号および前記反雑音信号から合成信号を生成する段階と；前記合成信号を使って前記ドライバを駆動する段階とを含む、方法。
〔ＥＥＥ２９〕前記能動的雑音打ち消しプロセスが、感知された電気音響チャネル・サウンド・レベル信号から前記合成信号の推定値を減算することによって前記雑音推定値が導出されるフィードバックに基づくプロセスである、ＥＥＥ２８記載の方法。
〔ＥＥＥ３０〕前記合成信号の前記推定値が、前記合成信号にプラント・モデル・フィルタを適用することによって生成される、ＥＥＥ２９記載の方法。
〔ＥＥＥ３１〕前記プラント・モデル・フィルタが静的である、ＥＥＥ３０記載の方法。
〔ＥＥＥ３２〕前記プラント・モデル・フィルタが適応的である、ＥＥＥ３０記載の方法。
〔ＥＥＥ３３〕前記雑音推定値のスペクトル特性に応じて前記所望されるオーディオ信号を調整する処理が、前記オーディオ信号の選択的諸部分の周波数帯域固有の利得および／または減衰の制御を適用することを含む、ＥＥＥ３１記載の方法。
〔ＥＥＥ３４〕前記オーディオ信号の選択的諸部分の周波数帯域固有の利得および／または減衰の制御の前記適用の積極さのレベルの選択性を提供することをさらに含む、ＥＥＥ３３記載の方法。
〔ＥＥＥ３５〕前記雑音推定値のスペクトル特性に応じて前記所望されるオーディオ信号を調整する処理が、前記所望されるオーディオ信号にスペクトル整形係数を適用することおよび前記雑音推定値および／または前記所望されるサウンド源のスペクトル応答に応じて前記スペクトル整形係数を更新することを含む、ＥＥＥ２８記載の方法。
〔ＥＥＥ３６〕前記スペクトル係数がプラント・モデルの関数として更新される、ＥＥＥ３５記載の方法。
〔ＥＥＥ３７〕スペクトル整形を介して前記所望されるオーディオ信号に適用される周波数依存の修正の量を前記プラント・モデルに応じて制限することをさらに含む、ＥＥＥ３６記載の方法。
〔ＥＥＥ３８〕前記プラント・モデルに応じて適応等化を適用することをさらに含む、ＥＥＥ３６記載の方法。
〔ＥＥＥ３９〕前記合成信号の前記推定値が、前記合成信号にプラント・モデル・フィルタを適用することによって生成され、前記雑音推定値のスペクトル特性に応じて前記所望されるオーディオ信号を調整する処理が、前記所望されるオーディオ信号にスペクトル整形係数を適用することおよび前記雑音推定値および／または前記所望されるサウンド源のスペクトル応答に応じて前記スペクトル整形係数を更新することを含み、前記スペクトル係数が前記プラント・モデル・フィルタの特性を共有するプラント・モデルに応じて更新される、ＥＥＥ２８記載の方法。
〔ＥＥＥ４０〕前記プラント・モデルおよびプラント・モデル・フィルタが互いと関係して更新される、ＥＥＥ３９記載の方法。
〔ＥＥＥ４１〕前記雑音推定値を使って反雑音信号を生成する段階が、適応フィルタリング・プロセスにおいて更新可能な係数を有する制御フィルタを使うことを含む、ＥＥＥ２８記載の方法。
〔ＥＥＥ４２〕前記適応フィルタリング・プロセスが最小平均二乗（LMS）アルゴリズムを含む、ＥＥＥ４１記載の方法。
〔ＥＥＥ４３〕前記DNCプロセスが時間領域で実装される、ＥＥＥ２８記載の方法。
〔ＥＥＥ４４〕前記DNCプロセスが周波数領域で実装される、ＥＥＥ２８記載の方法。
〔ＥＥＥ４５〕雑音擾乱の存在のもとでドライバを使った電気音響チャネルを通じた送達のために、所望されるオーディオ信号を向上させる方法であって：外的擾乱に基づく第一の雑音推定値を得る段階と；外的擾乱に基づく第二の雑音推定値を得る段階と；前記第一の雑音推定値のスペクトル特性に応じて前記所望されるオーディオ信号を調整する（condition）ことによってDNC調整された信号を生成する段階と；前記第一および第二の雑音推定値を使って反雑音信号を生成する段階と；前記DNC調整された信号および前記反雑音信号から合成信号を生成する段階と；前記合成信号を使って前記ドライバを駆動する段階とを含み、前記第一の雑音推定値が反雑音成分を含むが、DNC調整された成分は含まない、方法。
〔ＥＥＥ４６〕前記反雑音の生成が、前記第二の雑音推定値が専用のトランスデューサから導出されるフィードフォワードに基づくプロセスにおいて実施される、ＥＥＥ４５記載の方法。
〔ＥＥＥ４７〕反雑音の生成が、前記第二の雑音推定値が感知される電気音響チャネル・サウンド・レベル信号から前記合成信号の推定値を減算することによって導出されるフィードバック・プロセスにおいて実施される、ＥＥＥ４５記載の方法。
〔ＥＥＥ４８〕前記合成信号の前記推定値が、前記合成信号にプラント・モデル・フィルタを適用することによって生成される、ＥＥＥ４７記載の方法。
〔ＥＥＥ４９〕前記プラント・モデル・フィルタが静的である、ＥＥＥ４８記載の方法。
〔ＥＥＥ５０〕前記プラント・モデル・フィルタが適応的である、ＥＥＥ４８記載の方法。
〔ＥＥＥ５１〕前記DNCプロセスに適用される前記第二の雑音推定値のレベルを選択的に制限する段階をさらに含む、ＥＥＥ４５記載の方法。
〔ＥＥＥ５２〕選択的に制限する前記段階が、前記雑音推定値に適用される減衰器を使って達成され、前記減衰器は前記相互相関処理の関数として動作する、ＥＥＥ５１記載の方法。
〔ＥＥＥ５３〕前記DNCプロセスが時間領域で実装される、ＥＥＥ４５記載の方法。
〔ＥＥＥ５４〕前記DNCプロセスが周波数領域で実装される、ＥＥＥ４５記載の方法。
〔ＥＥＥ５５〕所望されるオーディオ信号を向上させるオーディオ向上システムであって：DNC調整された信号を生成するよう構成された動的雑音補償（DNC）モジュールであって、第一の雑音推定値のスペクトル特性に基づいて前記所望されるオーディオ信号にスペクトル整形（shaping）を適用するよう動作可能なスペクトル整形フィルタを含む、DNCモジュールと；AEQ調整された信号を生成するよう構成された適応等化（AEQ）モジュールであって、前記DNC調整された信号を受け取り、それに前記第一の雑音推定値に応じた適応等化を適用するよう動作可能な適応等化制御フィルタを含む、AEQモジュールとを含む、システム。
〔ＥＥＥ５６〕前記DNC調整された信号の遅延および／またはフィルタリングされたバージョンを感知された電気音響チャネル・サウンド信号と減算的に組み合わせることによって前記第一の雑音推定値を生成するよう動作可能な組み合わせ器をさらに含む、ＥＥＥ５５記載のシステム。
〔ＥＥＥ５７〕前記適応等化制御フィルタの収束動作に基づいて前記第一の雑音推定値のレベルを選択的に制限するよう動作可能な相互相関器と；前記DNC調整された信号を受け取るよう構成された所望される応答フィルタとをさらに有しており、前記収束動作は、前記適応等化制御フィルタの特性が前記所望される応答フィルタの前記電気音響チャネルのモデルに対する比に向けて収束することである、ＥＥＥ５６記載のシステム。
〔ＥＥＥ５８〕前記相互相関器の出力を受け取るよう構成されており、前記第一の雑音推定値のレベルを選択的に制限するよう動作可能な減衰器をさらに有する、ＥＥＥ５７記載のシステム。
〔ＥＥＥ５９〕前記所望される応答フィルタは平坦でない周波数応答をもつ、ＥＥＥ５７記載のシステム。
〔ＥＥＥ６０〕前記AEQ調整された信号は、電気音響チャネルにおいてドライバを駆動するよう動作可能である、ＥＥＥ５５記載のシステム。
〔ＥＥＥ６１〕前記適応等化フィルタは、電気音響チャネルの電気音響応答の関数である第一の更新信号を使って更新可能である、ＥＥＥ５５記載のシステム。
〔ＥＥＥ６２〕前記電気音響チャネルの特性をもつプラント・モデル・フィルタをさらに有する、ＥＥＥ６１記載のシステムであって、前記適応等化フィルタは、前記プラント・モデル・フィルタから得られる第二の更新信号を使ってさらに更新可能である、システム。
〔ＥＥＥ６３〕前記第一の雑音推定値に基づいて反雑音信号を生成するよう構成された能動的雑音打ち消しモジュールと；前記反雑音信号を前記AEQ調整された信号と組み合わせるよう動作可能な組み合わせ器とをさらに含む、ＥＥＥ５５記載のシステム。
〔ＥＥＥ６４〕前記適応等化制御フィルタの収束動作に基づいて前記第一の雑音推定値のレベルを選択的に制限するよう動作可能な相互相関器と；前記DNC調整された信号を受け取るよう構成された所望される応答フィルタとをさらに有しており、前記収束動作は、前記適応等化制御フィルタの特性が前記所望される応答フィルタの前記電気音響チャネルのモデルに対する比に向けて収束することである、ＥＥＥ６３記載のシステム。
〔ＥＥＥ６５〕前記相互相関器の出力を受け取るよう構成されており、前記第一の雑音推定値のレベルを選択的に制限するよう動作可能な減衰器をさらに有する、ＥＥＥ６４記載のシステム。
〔ＥＥＥ６６〕前記所望される応答フィルタは平坦でない周波数応答をもつ、ＥＥＥ６４記載のシステム。
〔ＥＥＥ６７〕前記AEQ調整された信号を受け取るよう構成されたドライバをさらに有する、ＥＥＥ５５記載のシステム。
〔ＥＥＥ６８〕前記DNCモジュールが時間領域で動作する、ＥＥＥ５５記載のシステム。
〔ＥＥＥ６９〕前記DNCモジュールが周波数領域で動作する、ＥＥＥ５５記載のシステム。
〔ＥＥＥ７０〕前記AEQモジュールが時間領域で動作する、ＥＥＥ５５記載のシステム。
〔ＥＥＥ７１〕前記AEQモジュールが周波数領域で動作する、ＥＥＥ５５記載のシステム。
〔ＥＥＥ７２〕電気音響チャネルを通じた送達のために、所望されるオーディオ信号を向上させるオーディオ向上システムであって：DNC調整された信号を生成するよう構成された動的雑音補償（DNC）モジュールであって、第一の雑音推定値のスペクトル特性に基づいて前記所望されるオーディオ信号にスペクトル整形（shaping）を適用するよう動作可能なスペクトル整形フィルタを含む、DNCモジュールと；前記第一の雑音推定値によって更新可能なフィルタ特性をもつ制御フィルタを含む能動的雑音打ち消し（ANC）モジュールであって、前記制御フィルタは、第二の雑音推定値を受け取ってそれから反雑音信号を生成するための第一の入力をもつ、ANCモジュールと；前記DNC調整された信号および前記反雑音信号を組み合わせて合成信号を生成する第一の組み合わせ器とを有する、システム。
〔ＥＥＥ７３〕感知された電気音響チャネル信号から前記DNC調整された信号を減算してそれにより前記第一の雑音推定値を生成するよう動作可能な第二の組み合わせ器をさらに有する、ＥＥＥ７２記載のシステム。
〔ＥＥＥ７４〕感知された電気音響チャネル信号から前記合成信号を減算してそれにより前記第二の雑音推定値を生成する第三の組み合わせ器をさらに有する、ＥＥＥ７３記載のシステム。
〔ＥＥＥ７５〕前記第二の雑音推定値が前記ANCモジュールの前記制御フィルタを更新するために使用される、ＥＥＥ７４記載のシステム。
〔ＥＥＥ７６〕前記制御フィルタを更新するのに先立って前記第二の雑音推定値をフィルタリングするよう動作可能な第一のプラント・モデル・フィルタをさらに有する、ＥＥＥ７５記載のシステム。
〔ＥＥＥ７７〕前記DNC調整された信号を、前記第二の組み合わせ器に加えるのに先立ってフィルタリングするよう動作可能な第二のプラント・モデル・フィルタをさらに有する、ＥＥＥ７６記載のシステム。
〔ＥＥＥ７８〕前記合成信号を、前記第三の組み合わせ器に加えるのに先立ってフィルタリングするよう動作可能な第三のプラント・モデル・フィルタをさらに有する、ＥＥＥ７７記載のシステム。
〔ＥＥＥ７９〕前記第一、第二および第三のプラント・モデル・フィルタが同一のフィルタ特性をもつ、ＥＥＥ７８記載のシステム。
〔ＥＥＥ８０〕前記DNC調整された信号を、前記第二の組み合わせ器に加えるのに先立ってフィルタリングするよう動作可能なプラント・モデル・フィルタをさらに有する、ＥＥＥ７３記載のシステム。
〔ＥＥＥ８１〕前記合成信号を、前記第三の組み合わせ器に加えるのに先立ってフィルタリングするよう動作可能なプラント・モデル・フィルタをさらに有する、ＥＥＥ７４記載のシステム。
〔ＥＥＥ８２〕前記第一の雑音推定値のレベルを選択的に制限するよう動作可能な相互相関器をさらに有する、ＥＥＥ７２記載のシステム。
〔ＥＥＥ８３〕前記相互相関器の出力を受け取るよう構成され、前記第一の雑音推定値のレベルを選択的に制限するよう動作可能な減衰器をさらに有する、ＥＥＥ８２記載のシステム。
〔ＥＥＥ８４〕前記第一の雑音推定値が前記電気音響チャネルにおいて検出された信号の関数であり、前記第二の雑音推定値が前記電気音響チャネルの上流で検出された信号の関数である、ＥＥＥ７３記載のシステム。
〔ＥＥＥ８５〕前記第二の雑音推定値が、前記ANCモジュールの前記制御フィルタを更新するために使われる、ＥＥＥ８４記載のシステム。
〔ＥＥＥ８６〕前記合成信号を受け取るよう構成されたドライバをさらに有する、ＥＥＥ７２記載のシステム。
〔ＥＥＥ８７〕前記DNCモジュールが時間領域で動作する、ＥＥＥ７２記載のシステム。
〔ＥＥＥ８８〕前記DNCモジュールが周波数領域で動作する、ＥＥＥ７２記載のシステム。
〔ＥＥＥ８９〕電気音響チャネルを通じた送達のために、所望されるオーディオ信号を向上させるシステムであって：外的擾乱に帰することのできる雑音推定値を得る手段と；前記雑音推定値を動的雑音補償（DNC）プロセスに適用してそれにより前記雑音推定値のスペクトル特性に応じて前記所望されるオーディオ信号を調整する（condition）手段と；前記雑音推定値を適応等化（AEQ）プロセスに適用してそれにより前記電気音響チャネルの電気音響応答に応じて前記所望されるオーディオ信号を調整する手段とを有する、システム。
〔ＥＥＥ９０〕前記雑音推定値が、感知される電気音響チャネル・サウンド・レベル信号から、前記DNCプロセスのフィルタリングおよび／または遅延された出力を減算する手段を使って生成される、ＥＥＥ８９記載のシステム。
〔ＥＥＥ９１〕前記フィルタリングおよび／または遅延された出力が、所望される応答フィルタによってフィルタリングされる、ＥＥＥ９０記載のシステム。
〔ＥＥＥ９２〕前記所望される応答フィルタが平坦でない周波数応答をもつ、ＥＥＥ９１記載のシステム。
〔ＥＥＥ９３〕前記DNCプロセスの出力を前記AEQプロセスの適応等化フィルタに適用する手段をさらに有する、ＥＥＥ９２記載のシステム。
〔ＥＥＥ９４〕前記DNCプロセスに適用される前記雑音推定値のレベルを選択的に制限する手段をさらに有する、ＥＥＥ９３記載のシステム。
〔ＥＥＥ９５〕選択的に制限する処理が、前記適応等化フィルタの特性の、前記所望される応答フィルタの前記電気音響チャネルのモデルに対する比に向けた収束に応じて行われる、ＥＥＥ９４記載のシステム。
〔ＥＥＥ９６〕収束が、前記雑音推定値の前記AEQプロセスの出力との相互相関を調べる手段を使って判定される、ＥＥＥ９５記載のシステム。
〔ＥＥＥ９７〕選択的に制限する処理が、前記雑音推定値に適用される減衰手段を使って達成され、前記減衰手段は前記相互相関の関数として動作する、ＥＥＥ９６記載のシステム。
〔ＥＥＥ９８〕電気音響チャネルを通じた送達のために、所望されるオーディオ信号を向上させるシステムであって：外的擾乱に帰することのできる雑音推定値を得る手段と；前記雑音推定値を動的雑音補償（DNC）プロセスに適用してそれにより前記雑音推定値のスペクトル特性に応じて前記所望されるオーディオ信号を調整する（condition）手段と；前記雑音推定値を適応等化（AEQ）プロセスに適用してそれにより前記電気音響チャネルの電気音響応答に応じて前記所望されるオーディオ信号を調整する手段と；前記雑音推定値を、前記電気音響チャネル中への送達のための反雑音（anti-noise）を生成するよう構成された能動的雑音打ち消し（ANC）プロセスに適用する手段とを有する、システム。
〔ＥＥＥ９９〕前記雑音推定値が：感知された電気音響チャネル・サウンド信号から、前記DNCプロセスのフィルタリングおよび／または遅延された出力を減算する手段を使って生成される、ＥＥＥ９８記載のシステム。
〔ＥＥＥ１００〕前記感知された電気音響チャネル・サウンド信号が、反雑音の送達後の前記音響チャネルにおけるサウンド信号を表す、ＥＥＥ９９記載のシステム。
〔ＥＥＥ１０１〕前記フィルタリングおよび／または遅延された出力が所望される応答フィルタによってフィルタリングされる、ＥＥＥ１００記載のシステム。
〔ＥＥＥ１０２〕前記所望される応答フィルタが平坦でない周波数応答をもつ、ＥＥＥ１０１記載のシステム。
〔ＥＥＥ１０３〕前記DNCプロセスの出力を前記AEQプロセスの適応等化フィルタに適用する手段をさらに有する、ＥＥＥ１０２記載のシステム。
〔ＥＥＥ１０４〕前記DNCプロセスに適用される前記雑音推定値のレベルを選択的に制限する手段をさらに有する、ＥＥＥ１０３記載のシステム。
〔ＥＥＥ１０５〕選択的に制限する処理が、前記適応等化フィルタの特性の、前記所望される応答フィルタの前記電気音響チャネルのモデルに対する比に向けた収束に応じて行われる、ＥＥＥ１０４記載のシステム。
〔ＥＥＥ１０６〕収束が、前記雑音推定値の前記AEQプロセスの出力との相互相関を調べる手段を使って判定される、ＥＥＥ１０５記載のシステム。
〔ＥＥＥ１０７〕選択的に制限する処理が、前記雑音推定値に適用される減衰手段を使って達成され、前記減衰手段は前記相互相関の関数として動作する、ＥＥＥ１０６記載のシステム。
〔ＥＥＥ１０８〕ドライバを使った電気音響チャネルを通じた送達のために、所望されるオーディオ信号を向上させるシステムであって：外的擾乱に基づく雑音推定値を得る手段と；前記雑音推定値のスペクトル特性に応じて前記所望されるオーディオ信号を調整する（condition）ことによって動的雑音補償（DNC）調整された信号を生成する手段と；前記雑音推定値を使って反雑音信号を生成する手段と；前記DNC調整された信号および前記反雑音信号から合成信号を生成する手段と；前記合成信号を使って前記ドライバを駆動する手段とを有する、システム。
〔ＥＥＥ１０９〕前記能動的雑音打ち消しプロセスが、感知された電気音響チャネル・サウンド・レベル信号から前記合成信号の推定値を減算する手段を使って前記雑音推定値が生成されるフィードバックに基づくプロセスである、ＥＥＥ１０８記載のシステム。
〔ＥＥＥ１１０〕前記合成信号の前記推定値が、前記合成信号にプラント・モデル・フィルタを適用することによって生成される、ＥＥＥ１０９記載のシステム。
〔ＥＥＥ１１１〕前記プラント・モデル・フィルタが静的である、ＥＥＥ１１０記載のシステム。
〔ＥＥＥ１１２〕前記プラント・モデル・フィルタが適応的である、ＥＥＥ１１０記載のシステム。
〔ＥＥＥ１１３〕前記雑音推定値のスペクトル特性に応じて前記所望されるオーディオ信号を調整する処理が、前記オーディオ信号の選択的諸部分の周波数帯域固有の利得および／または減衰の制御を適用することを含む、ＥＥＥ１１１記載のシステム。
〔ＥＥＥ１１４〕前記オーディオ信号の選択的諸部分の周波数帯域固有の利得および／または減衰の制御の前記適用の積極さのレベルの選択性を提供する手段をさらに含む、ＥＥＥ１１３記載のシステム。
〔ＥＥＥ１１５〕前記雑音推定値のスペクトル特性に応じて前記所望されるオーディオ信号を調整する処理が、前記所望されるオーディオ信号にスペクトル整形係数を適用する手段および前記雑音推定値および／または前記所望されるサウンド源のスペクトル応答に応じて前記スペクトル整形係数を更新する手段を使うことを含む、ＥＥＥ１０８記載のシステム。
〔ＥＥＥ１１６〕前記スペクトル係数がプラント・モデルの関数として更新される、ＥＥＥ１１５記載のシステム。
〔ＥＥＥ１１７〕スペクトル整形を介して前記所望されるオーディオ信号に適用される周波数依存の修正の量を前記プラント・モデルに応じて制限する手段をさらに有する、ＥＥＥ１１６記載のシステム。
〔ＥＥＥ１１８〕前記プラント・モデルに応じて適応等化を適用することをさらに含む、ＥＥＥ１１６記載のシステム。
〔ＥＥＥ１１９〕前記合成信号の前記推定値が、前記合成信号にプラント・モデル・フィルタを適用する手段を使って生成され、前記雑音推定値のスペクトル特性に応じて前記所望されるオーディオ信号を調整する処理が、前記所望されるオーディオ信号にスペクトル整形係数を適用することおよび前記雑音推定値および／または前記所望されるサウンド源のスペクトル応答に応じて前記スペクトル整形係数を更新することを含み、前記スペクトル係数が前記プラント・モデル・フィルタの特性を共有するプラント・モデルに応じて更新される、ＥＥＥ１１８記載のシステム。
〔ＥＥＥ１２０〕前記プラント・モデルおよびプラント・モデル・フィルタが互いと関係して更新される、ＥＥＥ１１９記載のシステム。
〔ＥＥＥ１２１〕前記雑音推定値を使って反雑音信号を生成する処理が、適応フィルタリング・プロセスにおいて更新可能な係数を有する制御フィルタを使うことを含む、ＥＥＥ１０８記載のシステム。
〔ＥＥＥ１２２〕前記適応フィルタリング・プロセスが最小平均二乗（LMS）アルゴリズムを含む、ＥＥＥ１２１記載のシステム。
〔ＥＥＥ１２３〕雑音擾乱の存在のもとでドライバを使った電気音響チャネルを通じた送達のために、所望されるオーディオ信号を向上させるシステムであって：外的擾乱に基づく第一の雑音推定値を得る手段と；外的擾乱に基づく第二の雑音推定値を得る手段と；前記第一の雑音推定値のスペクトル特性に応じて前記所望されるオーディオ信号を調整する（condition）ことによってDNC調整された信号を生成する手段と；前記第一および第二の雑音推定値を使って反雑音信号を生成する手段と；前記DNC調整された信号および前記反雑音信号から合成信号を生成する手段と；前記合成信号を使って前記ドライバを駆動する手段とを有しており、前記第一の雑音推定値は反雑音成分を含むが、DNC調整された成分は含まない、システム。
〔ＥＥＥ１２４〕前記反雑音の生成が、前記第二の雑音推定値が専用のトランスデューサから導出されるフィードフォワードに基づくプロセスにおいて実施される、ＥＥＥ１２３記載のシステム。
〔ＥＥＥ１２５〕反雑音の生成が、前記第二の雑音推定値が感知される電気音響チャネル・サウンド・レベル信号から前記合成信号の推定値を減算する手段を使って導出されるフィードバック・プロセスにおいて実施される、ＥＥＥ１２３記載のシステム。
〔ＥＥＥ１２６〕前記合成信号の前記推定値が、前記合成信号にプラント・モデル・フィルタを適用する手段を使って生成される、ＥＥＥ１２５記載のシステム。
〔ＥＥＥ１２７〕前記プラント・モデル・フィルタが静的である、ＥＥＥ１２６記載のシステム。
〔ＥＥＥ１２８〕前記プラント・モデル・フィルタが適応的である、ＥＥＥ１２６記載のシステム。
〔ＥＥＥ１２９〕前記DNCプロセスに適用される前記第二の雑音推定値のレベルを選択的に制限する手段をさらに有する、ＥＥＥ１２３記載のシステム。
〔ＥＥＥ１３０〕選択的に制限する処理が、前記雑音推定値に適用される減衰手段を使って達成され、前記減衰手段は相互相関処理の関数として動作する、ＥＥＥ１２９記載のシステム。
〔ＥＥＥ１３１〕機械によって読み取り可能なプログラム記憶デバイスであって、電気音響チャネルを通じた送達のために、所望されるオーディオ信号を向上させる方法を実行させるよう前記機械によって実行可能な諸命令のプログラムを具現する記憶デバイスであって、前記方法は：外的擾乱に帰することのできる雑音推定値を得る段階と；前記雑音推定値を動的雑音補償（DNC）プロセスに適用してそれにより前記雑音推定値のスペクトル特性に応じて前記所望されるオーディオ信号を調整する（condition）段階と；前記雑音推定値を適応等化（AEQ）プロセスに適用してそれにより前記電気音響チャネルの電気音響応答に応じて前記所望されるオーディオ信号を調整する段階とを含む、記憶デバイス。
〔ＥＥＥ１３２〕前記雑音推定値が：感知された電気音響チャネル・サウンド・レベル信号から、前記DNCプロセスのフィルタリングおよび／または遅延された出力を減算することによって生成される、ＥＥＥ１３１記載のデバイス。
〔ＥＥＥ１３３〕前記方法がさらに、前記DNCプロセスの出力を前記AEQプロセスの適応等化フィルタに適用する段階をさらに含む、ＥＥＥ１３１記載のデバイス。
〔ＥＥＥ１３４〕前記方法がさらに、前記DNCプロセスに適用される前記雑音推定値のレベルを選択的に制限する段階をさらに含む、ＥＥＥ１３１記載のデバイス。
〔ＥＥＥ１３５〕選択的に制限する前記段階が、前記適応等化フィルタの特性の、前記所望される応答フィルタの前記電気音響チャネルのモデルに対する比に向けた収束に応じて行われる、ＥＥＥ１３４記載のデバイス。
〔ＥＥＥ１３６〕機械によって読み取り可能なプログラム記憶デバイスであって、電気音響チャネルを通じた送達のために、所望されるオーディオ信号を向上させる方法を実行させるよう前記機械によって実行可能な諸命令のプログラムを具現する記憶デバイスであって、前記方法は：外的擾乱に帰することのできる雑音推定値を得る段階と；前記雑音推定値を動的雑音補償（DNC）プロセスに適用してそれにより前記雑音推定値のスペクトル特性に応じて前記所望されるオーディオ信号を調整する（condition）段階と；前記雑音推定値を適応等化（AEQ）プロセスに適用してそれにより前記電気音響チャネルの電気音響応答に応じて前記所望されるオーディオ信号を調整する段階と；前記雑音推定値を、前記電気音響チャネル中への送達のための反雑音（anti-noise）を生成するよう構成された能動的雑音打ち消し（ANC）プロセスに適用する段階とを含む、記憶デバイス。
〔ＥＥＥ１３７〕前記雑音推定値が：感知された電気音響チャネル・サウンド・レベル信号から、前記DNCプロセスのフィルタリングおよび／または遅延された出力を減算することによって生成される、ＥＥＥ１３６記載のデバイス。
〔ＥＥＥ１３８〕前記感知された電気音響チャネル・サウンド・レベル信号が、反雑音の送達後の前記音響チャネルにおけるサウンド・レベルを表す、ＥＥＥ１３７記載のデバイス。
〔ＥＥＥ１３９〕前記方法が、前記DNCプロセスに適用される前記雑音推定値のレベルを選択的に制限する段階をさらに含む、ＥＥＥ１３６記載のデバイス。
〔ＥＥＥ１４０〕選択的に制限する前記段階が、前記適応等化フィルタの特性の、前記所望される応答フィルタの前記電気音響チャネルのモデルに対する比に向けた収束に応じて行われる、ＥＥＥ１３９記載のデバイス。
〔ＥＥＥ１４１〕収束が、前記雑音推定値の前記AEQプロセスの出力との相互相関を調べることによって判定される、ＥＥＥ１４０記載のデバイス。
〔ＥＥＥ１４２〕機械によって読み取り可能なプログラム記憶デバイスであって、ドライバを使った電気音響チャネルを通じた送達のために、所望されるオーディオ信号を向上させる方法を実行させるよう前記機械によって実行可能な諸命令のプログラムを具現する記憶デバイスであって、前記方法は：外的擾乱に基づく雑音推定値を得る段階と；前記雑音推定値のスペクトル特性に応じて前記所望されるオーディオ信号を調整する（condition）ことによって動的雑音補償（DNC）調整された信号を生成する段階と；前記雑音推定値を使って反雑音信号を生成する段階と；前記DNC調整された信号および前記反雑音信号から合成信号を生成する段階と；前記合成信号を使って前記ドライバを駆動する段階とを含む、記憶デバイス。
〔ＥＥＥ１４３〕前記能動的雑音打ち消しプロセスが、感知された電気音響チャネル・サウンド信号から前記合成信号の推定値を減算することによって前記雑音推定値が導出されるフィードバックに基づくプロセスである、ＥＥＥ１４２記載のデバイス。
〔ＥＥＥ１４４〕前記合成信号の前記推定値が、前記合成信号にプラント・モデル・フィルタを適用することによって生成される、ＥＥＥ１４３記載のデバイス。
〔ＥＥＥ１４５〕前記プラント・モデル・フィルタが静的である、ＥＥＥ１４４記載のデバイス。
〔ＥＥＥ１４６〕前記プラント・モデル・フィルタが適応的である、ＥＥＥ１４４記載のデバイス。
〔ＥＥＥ１４７〕前記雑音推定値のスペクトル特性に応じて前記所望されるオーディオ信号を調整する処理が、前記オーディオ信号の選択的諸部分の周波数帯域固有の利得および／または減衰の制御を適用することを含む、ＥＥＥ１４５記載のデバイス。
〔ＥＥＥ１４８〕前記方法が、前記オーディオ信号の選択的諸部分の周波数帯域固有の利得および／または減衰の制御の前記適用の積極さのレベルの選択性を提供することをさらに含む、ＥＥＥ１４７記載のデバイス。
〔ＥＥＥ１４９〕前記雑音推定値のスペクトル特性に応じて前記所望されるオーディオ信号を調整する処理が、前記所望されるオーディオ信号にスペクトル整形係数を適用することおよび前記雑音推定値および／または前記所望されるサウンド源のスペクトル応答に応じて前記スペクトル整形係数を更新することを含む、ＥＥＥ１４３記載のデバイス。
〔ＥＥＥ１５０〕前記スペクトル係数がプラント・モデルの関数として更新される、ＥＥＥ１４９記載のデバイス。
〔ＥＥＥ１５１〕前記方法が、スペクトル整形を介して前記所望されるオーディオ信号に適用される周波数依存の修正の量を前記プラント・モデルに応じて制限することをさらに含む、ＥＥＥ１５０記載のデバイス。
〔ＥＥＥ１５２〕前記方法が、前記プラント・モデルに応じて適応等化を適用することをさらに含む、ＥＥＥ１４４記載のデバイス。
〔ＥＥＥ１５３〕前記合成信号の前記推定値が、前記合成信号にプラント・モデル・フィルタを適用することによって生成され、前記雑音推定値のスペクトル特性に応じて前記所望されるオーディオ信号を調整する処理が、前記所望されるオーディオ信号にスペクトル整形係数を適用することおよび前記雑音推定値および／または前記所望されるサウンド源のスペクトル応答に応じて前記スペクトル整形係数を更新することを含み、前記スペクトル係数が前記プラント・モデル・フィルタの特性を共有するプラント・モデルに応じて更新される、ＥＥＥ１４３記載のデバイス。
〔ＥＥＥ１５４〕前記プラント・モデルおよびプラント・モデル・フィルタが互いと関係して更新される、ＥＥＥ１５３記載のデバイス。
〔ＥＥＥ１５５〕前記雑音推定値を使って反雑音信号を生成する段階が、適応フィルタリング・プロセスにおいて更新可能な係数を有する制御フィルタを使うことを含む、ＥＥＥ１４３記載のデバイス。
〔ＥＥＥ１５６〕前記適応フィルタリング・プロセスが最小平均二乗（LMS）アルゴリズムを含む、ＥＥＥ１５５記載のデバイス。
〔ＥＥＥ１５７〕機械によって読み取り可能なプログラム記憶デバイスであって、雑音擾乱の存在のもとでドライバを使った電気音響チャネルを通じた送達のために、所望されるオーディオ信号を向上させる方法を実行させるよう前記機械によって実行可能な諸命令のプログラムを具現する記憶デバイスであって、前記方法は：外的擾乱に基づく第一の雑音推定値を得る段階と；外的擾乱に基づく第二の雑音推定値を得る段階と；前記第一の雑音推定値のスペクトル特性に応じて前記所望されるオーディオ信号を調整する（condition）ことによってDNC調整された信号を生成する段階と；前記第一および第二の雑音推定値を使って反雑音信号を生成する段階と；前記DNC調整された信号および前記反雑音信号から合成信号を生成する段階と；前記合成信号を使って前記ドライバを駆動する段階とを含んでおり、前記第一の雑音推定値は反雑音成分を含むが、DNC調整された成分は含まない、デバイス。
〔ＥＥＥ１５８〕前記反雑音の生成が、前記第二の雑音推定値が専用のトランスデューサから導出されるフィードフォワードに基づくプロセスにおいて実施される、ＥＥＥ１５７記載のデバイス。
〔ＥＥＥ１６０〕反雑音の生成が、前記第二の雑音推定値が感知される電気音響チャネル・サウンド・レベル信号から前記合成信号の推定値を減算することによって導出されるフィードバック・プロセスにおいて実施される、ＥＥＥ１５７記載のデバイス。
〔ＥＥＥ１６１〕前記合成信号の前記推定値が、前記合成信号にプラント・モデル・フィルタを適用することによって生成される、ＥＥＥ１６０記載のデバイス。
〔ＥＥＥ１６２〕前記プラント・モデル・フィルタが静的である、ＥＥＥ１６１記載のデバイス。
〔ＥＥＥ１６３〕前記プラント・モデル・フィルタが適応的である、ＥＥＥ１６１記載のデバイス。
〔ＥＥＥ１６４〕前記方法が、前記DNCプロセスに適用される前記第二の雑音推定値のレベルを選択的に制限する段階をさらに含む、ＥＥＥ１５７記載のデバイス。
〔ＥＥＥ１６５〕選択的に制限する前記段階が、前記雑音推定値に適用される減衰器を使って達成され、前記減衰器は相互相関処理の関数として動作する、ＥＥＥ１６４記載のデバイス。
【図１】
0005629372.tif 000002
【図２Ａ】
0005629372.tif 000003
【図２Ｂ】
0005629372.tif 000004
【図２Ｃ】
0005629372.tif 000005
【図３Ａ】
0005629372.tif 000006
【図３Ｂ】
0005629372.tif 000007
【図３Ｃ】
0005629372.tif 000008
【図３Ｄ】
0005629372.tif 000009
【図４】
0005629372.tif 000010